(57)【特許請求の範囲】
【請求項１】
基地局と移動機間で情報を伝送する符号分割多元接続方式において用いるＳＩＲ演算方式であって、
前記基地局は、常時送信するパイロットチャネルシンボルと、個別物理チャネル上に時間的に挿入された個別パイロットシンボルとを送信するための送信手段を有し、
前記移動機は、前記基地局との間の伝搬路特性を推定するためのチャネル推定手段を有し、
前記チャネル推定手段により、パイロットチャネルシンボルまたは個別パイロットシンボルの少なくとも一方を利用してチャネル推定を行い、
前記チャネル推定手段から得られたチャネル推定値を用いて、復調手段によりパイロットチャネルシンボルと個別パイロットシンボルと情報シンボルとを復調し、
前記復調手段から得られた同相シンボル成分と直交シンボル成分とを用いてＳＩＲ演算を行うためのＳＩＲ演算手段は、
同相シンボル成分の二乗和を演算する手段と、
直交シンボル成分の二乗和を演算する手段と、
同相シンボル成分の和の二乗を演算する手段と、
直交シンボル成分の和の二乗を演算する手段と、
ＳＩＲ精度推定手段とを備えてＳＩＲ演算を行い、
前記チャネル推定手段は、
前記ＳＩＲ精度推定手段による推定精度に基づいて、パイロットチャネルシンボルを利用したチャネル推定と、個別パイロットシンボルを利用したチャネル推定とを選択的に利用することを特徴とするＳＩＲ演算方式。
【請求項２】
基地局と移動機間で情報を伝送する符号分割多元接続方式において用いるＳＩＲ演算方式であって、
前記基地局は、
常時送信するパイロットチャネルシンボルと、個別物理チャネル上に時間的に挿入された個別パイロットシンボルとを送信するための送信手段を有し、
前記移動機は、
パイロットチャネルシンボルまたは個別パイロットシンボルの少なくとも一方を利用してチャネル推定値を求めて、前記基地局との間の伝搬路特性を推定するチャネル推定手段と、
前記チャネル推定手段から得られたチャネル推定値を用いて、パイロットチャネルシンボルと個別パイロットシンボルと情報シンボルとを復調する復調手段と、
前記復調手段から得られた同相シンボル成分と直交シンボル成分とを用いてＳＩＲ演算を行うＳＩＲ演算手段とを有し、
前記ＳＩＲ演算手段は、
シンボル数をＮ、シンボルの同相成分をＩ（ｋ）、直交成分をＱ（ｋ）とした場合に、下記演算式に基づいてＳＩＲ値を求めるＳＩＲ演算実行手段と、
前記ＳＩＲ値の演算精度を推定するＳＩＲ精度推定手段とを備えることを特徴とするＳＩＲ演算方式。
【数１】
0003607165.tif 000014
【請求項３】
前記チャネル推定手段は、
前記基地局と前記移動機間の伝搬路特性からマルチパス成分を探索するためのパスサーチ手段を有し、該パスサーチ手段から得られた各パスに対して、前記ＳＩＲ演算手段により得られたＳＩＲ演算結果に基づいて有効パス成分を選択する有効パス成分選択手段を備えたことを特徴とする請求項２記載のＳＩＲ演算方式。
【請求項４】
前記基地局からの送信手段として複数のアンテナが利用された場合に、
前記移動局におけるパスサーチ手段は、該基地局における各アンテナ毎にパスを識別する機能を有し、
前記復調手段は、前記パスサーチ手段を用いて、各パスを各アンテナ毎にＲａｋｅ合成する機能を有し、
前記復調手段から得られた、同相シンボル成分と直交シンボル成分を利用して、各アンテナ毎にＳＩＲ演算を行うことを特徴とする請求項３記載のＳＩＲ演算方式。
【請求項５】
前記チャネル推定手段は、
前記パスサーチ手段と、セル・セクタを判別するためのセルサーチ手段を有し、
前記復調手段は、前記パスサーチ手段と前記セルサーチ手段とを利用して、各パスをセル・セクタ毎にＲａｋｅ合成する機能を有し、
前記復調手段から得られた、同相シンボル成分と直交シンボル成分を利用して、セル・セクタ毎にＳＩＲ演算を行うことを特徴とする請求項３記載のＳＩＲ演算方式。
【発明の詳細な説明】
【０００１】
【発明の属する技術分野】
本発明は、スペクトル拡散通信受信機および符号分割多元接続（ＣＤＭＡ：Ｃｏｄｅ  Ｄｉｖｉｓｉｏｎ  Ｍｕｌｔｉｐｌｅ  Ａｃｃｅｓｓ）方式受信機における受信希望波対干渉電力比（ＳＩＲ）の演算方式に関する。
【０００２】
【従来の技術】
スペクトル拡散通信およびスペクトル拡散通信技術を利用したＣＤＭＡシステムは、マルチパスフェージングに強く、データの高速化が可能であるとともに、通信品質が良好であり、さらに周波数利用効率が高い等の特徴を備えているため、次世代の移動通信およびマルチメディア移動通信に有望な通信方式となっている。
このようなスペクトル拡散通信およびＣＤＭＡシステムにおける送信信号は、送信側において、伝送すべき信号の帯域幅よりもはるかに広い帯域に拡散して送信される。一方、受信側では、スペクトル拡散された信号を元の信号帯域幅に復元、すなわち、逆拡散することにより、上述した特徴が発揮される。
【０００３】
従来のＣＤＭＡシステムを、図３を用いて説明する。
図３は、従来のＣＤＭＡシステムにおける受信部の概略構成を示すブロック図である。
図３に示すように、従来のＣＤＭＡシステムにおいて、アンテナ１で受信されたＣＤＭＡ信号は、ＲＦ増幅部２により増幅された後、周波数変換部３により無線周波数から中間周波数またはベースバンド周波数に変換される。受信ベースバンド信号１０は、逆拡散部４を介して、同期検波およびＲａｋｅ合成機能を備えた復調部５に送られ、復調データ（シンボル）８を得ることができる。
【０００４】
ＣＤＭＡ方式の移動体通信はマルチパス環境下で動作するため、チャネル推定（パスサーチ）部６において、受信ベースバンド信号１０を用いてマルチパス状況が推定される。そして、逆拡散部４により、チャネル推定部６で推定されたパス情報１１に基づいて逆拡散すべきパスが規定され、逆拡散（相関）が実行される。
同様に、復調部５により、チャネル推定部６で推定されたパス情報１１に基づいて、復調すべき受信信号のパスが規定され、復調すべき受信データ（シンボル）の補正、復調およびＲａｋｅ合成が実行される。
【０００５】
従来のＳＩＲ演算は、「ＤＳ−ＣＤＭＡ送信電力制御におけるパイロットシンボルを用いた受信ＳＩＲ測定法：信学技報ＲＣＳ９６−７４（１９９６−０８）に説明されている。
このＳＩＲ演算方式では、ＳＩＲ演算部７において、個別物理チャネルの復調パイロットシンボル９を利用するとともに、Ｒａｋｅ合成後のパイロットシンボルの同相成分Ｉ（ｋ）、直交成分Ｑ（ｋ）を用いて、希望波信号電力Ｓ、干渉電力Ｉおよびその比であるＳＩＲを、以下の（１）、（２）、（３）、（４）により演算する。
【０００６】
【数２】
0003607165.tif 000002
【数３】
0003607165.tif 000003
【数４】
0003607165.tif 000004
【０００７】
ここで、平均ベクトルＲＡＶを  ＲＡＶ＝ｒＩ＋ｊｒＱ  とすると、ｒＩ、ｒＱは、以下の式（４）で表される。
【数５】
0003607165.tif 000005
ここで、Ｎは測定区間のシンボル数であり、希望波信号電力Ｓは平均値、干渉電力Ｉは分散値として算出される。
【０００８】
【発明が解決しようとする課題】
しかしながら、従来のＳＩＲ演算方式では、上記式（１）〜（４）に示すような統計処理を行うため、利用するシンボル数Ｎに依存して演算量が膨大になるという欠点がある。
このような欠点を解消するため、ＳＩＲ演算量を少なくするには、利用するシンボル数Ｎを少なくすればよい。ところが、利用するシンボル数Ｎを少なくすると平均化シンボル数が減少するため、測定精度が劣化するという新たな問題が生じてしまう。
【０００９】
従来のＳＩＲ演算方式では、Ｒａｋｅ合成後のパイロットシンボルを利用してＳＩＲ演算を実行したが、ＤＨＯ（ダイバシチ・ハンド・オーバー）時には基地局毎にＳＩＲ演算を行う必要がある。また、送信ダイバシチを利用したシステムでは、基地局の送信アンテナ毎にＳＩＲ演算を行う必要があるため、ＳＩＲ演算量が増大する。
さらに、チャネル推定（パスサーチ）部６によりマルチパス状況が推定されるが、逆拡散、復調およびＲａｋｅ合成を行うための有効パスの選択を、そのパスのＳＩＲ値に基づいて規定する場合には、パス毎のＳＩＲ演算が必要となる。
このように、ＳＩＲ演算が頻繁に使用されるため、ＳＩＲ演算量がいっそう膨大となってしまうという問題がある。
【００１０】
また、従来のＳＩＲ演算方式においては、干渉電力の計算式（式（２））を実行する際に、Ｒａｋｅ合成後のパイロットシンボルの同相成分Ｉ（ｋ）、直交成分Ｑ（ｋ）を用いてｒＩ、ｒＱを演算した後に、再びＩ（ｋ）、Ｑ（ｋ）を用いた演算を行わなければならない。
したがって、ＳＩＲ演算を行うために、Ｉ（ｋ）、Ｑ（ｋ）を一度メモリしなければならず、Ｎ×２個のメモリ機能を必要とすることになる。
【００１１】
本発明は、上述した事情に鑑み提案されたもので、従来の演算式を展開し、整理し直すことにより、簡便なＳＩＲ演算方式を提供することを目的とする。
【００１２】
【課題を解決するための手段】
本発明のＳＩＲ演算方式は、基地局と移動機間で情報を伝送する符号分割多元接続方式において用いるＳＩＲ演算方式であって、前記基地局は、常時送信するパイロットチャネルシンボルと、個別物理チャネル上に時間的に挿入された個別パイロットシンボルとを送信するための送信手段を有し、前記移動機は、前記基地局との間の伝搬路特性を推定するためのチャネル推定手段を有し、前記チャネル推定手段により、パイロットチャネルシンボルまたは個別パイロットシンボルの少なくとも一方を利用してチャネル推定を行い、前記チャネル推定手段から得られたチャネル推定値を用いて、復調手段によりパイロットチャネルシンボルと個別パイロットシンボルと情報シンボルとを復調し、前記復調手段から得られた同相シンボル成分と直交シンボル成分とを用いてＳＩＲ演算を行うためのＳＩＲ演算手段は、同相シンボル成分の二乗和を演算する手段と、直交シンボル成分の二乗和を演算する手段と、同相シンボル成分の和の二乗を演算する手段と、直交シンボル成分の和の二乗を演算する手段と、ＳＩＲ精度推定手段とを備えてＳＩＲ演算を行い、前記チャネル推定手段は、前記ＳＩＲ精度推定手段による推定精度に基づいて、パイロットチャネルシンボルを利用したチャネル推定と、個別パイロットシンボルを利用したチャネル推定とを選択的に利用することを特徴とするものである。
【００１３】
また、本発明のＳＩＲ演算方式は、基地局と移動機間で情報を伝送する符号分割多元接続方式において用いるＳＩＲ演算方式であって、前記基地局は、常時送信するパイロットチャネルシンボルと、個別物理チャネル上に時間的に挿入された個別パイロットシンボルとを送信するための送信手段を有し、前記移動機は、パイロットチャネルシンボルまたは個別パイロットシンボルの少なくとも一方を利用してチャネル推定値を求めて、前記基地局との間の伝搬路特性を推定するチャネル推定手段と、前記チャネル推定手段から得られたチャネル推定値を用いて、パイロットチャネルシンボルと個別パイロットシンボルと情報シンボルとを復調する復調手段と、前記復調手段から得られた同相シンボル成分と直交シンボル成分とを用いてＳＩＲ演算を行うＳＩＲ演算手段とを有し、前記ＳＩＲ演算手段は、シンボル数をＮ、シンボルの同相成分をＩ（ｋ）、直交成分をＱ（ｋ）とした場合に、下記演算式に基づいてＳＩＲ値を求めるＳＩＲ演算実行手段と、前記ＳＩＲ値の演算精度を推定するＳＩＲ精度推定手段とを備えることを特徴とするものである。
【数６】
0003607165.tif 000006
【００１４】
また、前記チャネル推定手段は、
前記基地局と前記移動機間の伝搬路特性からマルチパス成分を探索するためのパスサーチ手段を有し、
該パスサーチ手段から得られた各パスに対して、前記ＳＩＲ演算手段により得られたＳＩＲ演算結果に基づいて有効パス成分を選択する有効パス成分選択手段を備えることが好ましい。
【００１５】
また、前記基地局からの送信手段として複数のアンテナが利用された場合に、前記移動局におけるパスサーチ手段は、該基地局における各アンテナ毎にパスを識別する機能を有し、
前記復調手段は、前記パスサーチ手段を用いて、各パスを各アンテナ毎にＲａｋｅ合成する機能を有し、
前記復調手段から得られた、同相シンボル成分と直交シンボル成分を利用して、各アンテナ毎にＳＩＲ演算を行うことが好ましい。
【００１６】
また、前記チャネル推定手段は、
前記パスサーチ手段と、セル・セクタを判別するためのセルサーチ手段を有し、
前記復調手段は、前記パスサーチ手段と前記セルサーチ手段とを利用して、各パスをセル・セクタ毎にＲａｋｅ合成する機能を有し、
前記復調手段から得られた、同相シンボル成分と直交シンボル成分を利用して、セル・セクタ毎にＳＩＲ演算を行うことが好ましい。
【００１７】
上述した本発明のＳＩＲ演算方式によれば、ＳＩＲ演算における演算式の展開を行って必要な演算を削減しているため、従来のＳＩＲ演算方式と同等な演算結果を得るための演算量を削減することができる。
【００１８】
また、本発明のＳＩＲ演算方式によれば、ＳＩＲ演算において、Ｒａｋｅ合成後のパイロットシンボルの同相成分Ｉ（ｋ）、直交成分Ｑ（ｋ）をメモリする必要がないので、必要とするメモリ量を削減することができる。
【００１９】
【発明の実施の形態】
以下、図面に基づいて、本発明のＳＩＲ演算方式の実施形態を説明する。
【００２０】
図１は、本発明の実施例１に係るＳＩＲ演算方式を利用したＣＤＭＡ受信機の概略構成を示すブロック図である。
本発明の実施例１に係るＳＩＲ演算方式を利用したＣＤＭＡ受信機において、アンテナ１で受信されたＣＤＭＡ信号は、ＲＦ増幅部２により増幅された後、周波数変換部３により無線周波数から中間周波数またはベースバンド周波数に変換される。受信ベースバンド信号１０は、逆拡散部４を介して、同期検波およびＲａｋｅ合成機能からなる復調部５０に送られ、復調データ（シンボル）８が得られる。
【００２１】
また、チャネル推定部２６においてマルチパス状況（パス状況）が推定される。そして、逆拡散部４により、チャネル推定部２６で推定されたパス情報２１に基づいて逆拡散すべきパスが規定され、逆拡散（相関）が実行される。
また、復調部５０により、チャネル推定部２６で指定されたパス情報２２に基づいて、復調すべき受信信号のパスを規定する。さらに、復調部５０は、チャネル推定部２６で得られたパス情報２２を利用して、復調すべき受信データ（シンボル）の補正を行い、同期検波（復調）およびＲａｋｅ合成を実行する。
【００２２】
復調部５０で得られた情報と、チャネル推定部２６で指定されたパス情報２１、２２から、当該パス発信源情報（基地周情報）が判明する。したがって、コントローラ２０において復調信号とパス情報をモニタするため、コントローラ２０は、信号ライン２８により逆拡散部４と接続され、信号ライン２３により復調部５０と接続され、信号ライン２４によりチャネル推定部２６と接続されている。
【００２３】
ＳＩＲ演算部２７は、後述するＳＩＲ演算を実行する機能と、ＳＩＲ演算精度を推定する機能とを併せ持っており、それらの結果は、信号ライン２５を介してコントローラ２０に送られる。
ＳＩＲ演算部２７におけるＳＩＲ演算方式では、復調部５０からの復調信号である復調パイロットシンボル２９の同相成分Ｉ（ｋ）、直交成分Ｑ（ｋ）を用いて、希望波信号電力Ｓ、干渉電力Ｉおよびその比であるＳＩＲを、以下の式により算出する。
【００２４】
上述した従来のＳＩＲ演算方式における式（２）は、以下の式（５）として展開することができる。
【００２５】
【数７】
0003607165.tif 000007
ここで、
【数８】
0003607165.tif 000008
となる。ＩＯＱについても同様に展開される。
【００２６】
その結果をまとめると、式（７）となる。
【数９】
0003607165.tif 000009
【００２７】
ここで、
【数１０】
0003607165.tif 000010
であり、Ｓについても、式（８）を使用することにより、式（９）を得ることができる。
【００２８】
【数１１】
0003607165.tif 000011
【００２９】
ＳＩＲ値は、式（７）と式（９）から、式（１０）のように表現することができる。
【数１２】
0003607165.tif 000012
【００３０】
式（１０）において演算量が多くなる項は、ＡＩ、ＡＱ、ＢＩ、ＢＱであり、その項を抜き出すと式（１１）となる。
【数１３】
0003607165.tif 000013
【００３１】
式（１１）と従来方式を比較すると、式（２）の従来方式では、ｒＩとｒＱを算出するための各Ｎ回加算演算および項ｒＩとｒＱの各Ｎ回減算演算が余分の演算となり、さらにＩ（ｋ）、Ｑ（ｋ）をメモリするためのメモリ機能をＮ×２個だけ必要とする。
したがって、本実施例１に係るＳＩＲ演算に使用する式（１１）は、従来のＳＩＲ演算方式と比較して、演算量および必要メモリ機能を大きく削減できるという特徴を備えている。
【００３２】
加算および減算の演算回数と必要メモリ量は、シンボル数であるＮに依存する（Ｎ倍として寄与する）。また、後述するように、ＣＤＭＡ方式の移動体通信において、ＳＩＲ演算は頻繁に使用されるため、トータル演算量およびメモリ量の削減効果は大きくなる。例えば、ＳＩＲ演算処理をＤＳＰ（デジタル・シグナル・プロセッサ）で実行する場合に、ＤＰＳの計算負荷およびメモリ機能を削減できるという効果が生じる。
【００３３】
上述した説明において、ＳＩＲ演算に利用するパイロットシンボルは、従来のＳＩＲ演算方式で説明した文献に示されている個別物理チャネル上に、時間的、周期的に挿入されたパイロットシンボルである個別パイロットシンボルの他に、パイロットシンボル情報のみが単独のチャネルで送信されるパイロットチャネルシンボルの両者に適応することができる。
【００３４】
図１に示すチャネル推定部２６において、チャネル推定に利用するパイロットシンボルとして、個別パイロットシンボルを用いるか、あるいはパイロットチャネルシンボルを用いるかは、コントローラ２０からの信号２４により制御される。チャネル推定部２６で得られたパス情報２２を利用して、復調すべき受信信号のパスが規定され、復調部５において、復調すべき受信データ（シンボル）の補正、復調およびＲａｋｅ合成が実行される。
【００３５】
ＣＤＭＡシステムでは、上述した文献に説明されているように、受信パイロットシンボルのＳＩＲ演算測定値を利用して、送信電力制御（パワーコントロール）を行う。きめ細かい閉ループ送信電力制御を行うためには、高速で正確なＳＩＲ演算が要求される。本実施例１に係るＳＩＲ演算方式では、ＳＩＲ演算量が少ないため、高速演算が可能となると同時に、算出する際に必要となるメモリ機能を増やすことなく、平均化シンボル数Ｎを増大することで演算精度を向上させることが可能となる。
【００３６】
次に、図２を用いて、本発明の実施例２に係るＳＩＲ演算方式ついて説明する。
ＣＤＭＡシステムでは、データ伝送を行う個別物理チャネルは、送信電力制御が行われるため、受信機におけるＳＩＲ測定値は基地局と移動機の間の距離に依存せず同一となる。したがって、個別パイロットシンボルを利用したＳＩＲ測定値は、理想的には移動機の位置によらず同一となる。一方、パイロットチャネルシンボルは、送信電力制御は行われないため、そのＳＩＲ測定値は基地局からの距離に依存して変化する。
【００３７】
図２に、基地局と移動機の距離に依存した、移動機における希望波受信信号を摸式的に示す。
図２において、（Ａ）は送信電力制御を受けた個別パイロットシンボルの受信電力を示し、（Ｂ）はパイロットチャネルシンボルの受信電力を示している。
図２に示すように、（Ｂ）のパイロットチャネルシンボルは、送信電力制御が行われていないため、伝搬路のマルチパス特性により、信号が大きく減衰する場所Ｂ−１、Ｂ−２、Ｂ−３が存在する。
【００３８】
パイロットチャネル信号は、個別物理チャネル信号と異なり、すべての移動機が共通に利用する。このため、図２に示すように、基地局でのパイロットチャネル送信信号電力は、個別物理チャネルよりもはるかに大きい。したがって、一般的には、移動機では大きな受信電力が期待できるパイロットチャネルシンボルを利用したチャネル推定に基いて受信信号の補正、復調を行い、その復調シンボルのＳＩＲ演算を行った方が、個別パイロットシンボルを利用するよりも、チャネル推定精度およびＳＩＲ測定精度の向上が期待できる。
【００３９】
しかし、図２中、Ｂ−３で示すように、特性（Ｂ）は送信電力制御が行われていないため、伝搬路特性による減衰が生じ、個別パイロットシンボルの受信電力より小さくなる湯合がある。この結果、パイロットチャネルを利用したチャネル推定に基づく、復調すべき受信信号のパスの規定、復調すべき受信シンボルの補正に誤差が発生する。このため、復調結果、Ｒａｋｅ合成結果およびＳＩＲ測定値の精度が劣化する。すなわち、チャネル推定精度は、ＳＩＲ測定精度に反映されることとなる。
【００４０】
したがって、チャネル推定部２６に、個別パイロットシンボルとパイロットチャネルシンボルを利用したチャネル推定手段を設け、ＳＩＲ演算部２７におけるＳＩＲ精度推定に基づいて、チャネル推定に利用するパイロットシンボルを、コントローラ２０により選択することにより、さらに高精度なＳＩＲ測定が可能となる。
ＳＩＲ演算は各パス毎に実行されるため、ＳＩＲ演算量が膨大となるが、本実施例２に係るＳＩＲ演算方式では、そのＳＩＲ演算方法により演算量および必要メモリ量を削減することができる。
【００４１】
次に、本発明の実施例３に係るＳＩＲ演算方式について説明する。
チャネル推定部２６は、基地局と移動機間の伝搬路特性からマルチパス成分を検索するパスサーチ機能を有しており、スペクトル拡散信号（ＣＤＭＡ信号）の拡散チップにおける１チップ時間の時間分解能でパス分離することが可能である。チャネル推定部２６により１チップ時間分解能で分離した複数パスから、有効パスを選択するための選択方法として、ＳＩＲ演算部２７により各パスのＳＩＲ測定を行い、その演算結果に基づいてコントローラ２０により有効パスを選択する。
【００４２】
コントローラ２０は、信号ライン２４、２８、２３を介して、選択した有効パス情報をチャネル推定部２６、逆拡散部４および復調部５に伝達し、選択した有効パスを利用した情報信号（情報シンボル、パイロットシンボル）の復調およびＲａｋｅ合成を行う。
ＳＩＲ演算は各パス毎に実行されるため、ＳＩＲ演算量が膨大となるが、本実施形態に係るＳＩＲ演算方式では、そのＳＩＲ演算方法により演算量および必要メモリ量を削減することができる。
【００４３】
次に、その他の実施例を説明する。
ＣＤＭＡシステムでは、高品質化やスムーズな移動通信を実現するために、複数の基地局と接続する技術であるＤＨＯ技術や、複数の基地局アンテナを使用した送信ダイバシチ技術が使用される。移動機は、ＤＨＯ時にはその基地局毎にＳＩＲ演算を行う必要があり、また送信ダイバシチを利用したシステムでは、基地局の送信アンテナ毎にＳＩＲ演算を行う必要があるため、さらにＳＩＲ演算量および必要メモリ量が増大する。
チャネル推定部２６は、ＤＨＯ時およびＤＨＯの準備期間にはセルサーチまたはセクタサーチにより候補となるセル・セクタを探索する機能およびマルチパス成分を探索するパスサーチ機能を有している。
【００４４】
上述したように、チャネル推定部２６とＳＩＲ演算部２７における測定結果に基づいて、コントローラ２０により有効パスを選択する。また、チャネル推定部２６は、復調部５０からの情報に基づいて、その有効パスが属するセル・セクタを識別する。復調部５０は、ＤＨＯ時およびＤＨＯの準備期間には、各パスをセル・セクタ毎にＲａｋｅ合成し、また送信ダイバシチが使用される場合には、アンテナ毎にＲａｋｅ合成する。Ｒａｋｅ合成された復調パイロットシンボル２９は、ＳＩＲ演算部２７によりＳＩＲ測定が行われる。
【００４５】
ＳＩＲ演算は各パス毎に実行されるだけでなく、このように頻繁に使用されるため、ＳＩＲ演算量がいっそう膨大となるが、本発明のＳＩＲ演算方式では、そのＳＩＲ演算方法により演算量および必要メモリ量を削減することができる。
【００４６】
【発明の効果】
以上説明したように、本発明のＳＩＲ演算方式によれば、ＳＩＲ演算における演算式の展開・整理により、必要な演算を削減したため、従来のＳＩＲ演算方式と同等な演算結果を得るための演算量を削減することができる。
【００４７】
また、ＣＤＭＡ方式の移動体通信において、ＳＩＲ演算は頻繁に使用される。すなわち、ＳＩＲ演算は、パスサーチ手段から得られた各パスについて行われ、また複数アンテナ毎について行われ、さらに複数基地局毎に行われるため、本発明のＳＩＲ演算方式を用いることにより、演算負荷を削減する効果をさらに顕著に発揮することができる。
【００４８】
また、本発明のＳＩＲ演算方式によれば、ＳＩＲ演算において、Ｒａｋｅ合成後のパイロットシンボルの同相成分Ｉ（ｋ）、直交成分Ｑ（ｋ）をメモリする必要がないため、必要とするメモリ量を削減することができる。
【００４９】
上述したように、ＣＤＭＡ方式の移動体通信において、ＳＩＲ演算は頻繁に使用されるため、本発明のＳＩＲ演算方式を用いることにより、必要メモリ量を削減する効果をさらに顕著に発揮することができる。
【図面の簡単な説明】
【図１】本発明の実施例１に係るＳＩＲ演算方式を利用したＣＤＭＡ受信機の概略構成を示すブロック図である。
【図２】基地局からの距離に依存した移動機の受信電力の複式図である。
【図３】従来のＣＤＭＡ受信機の概略構成を示すブロック図である。
【符号の説明】
１  アンテナ
２  ＲＦ増幅部
３  周波数変換部
４  逆拡散部
５、５０  復調部
６、２６  チャネル推定部
７、２７  ＳＩＲ演算部
８  復調データ（シンボル）
９、２９  復調パイロットシンボル
１０  受信ベースバンド信号
２０  コントローラ
１１、２１、２２  パス情報
２３、２４、２５、２８  信号ライン
【図１】
0003607165.tif 000015
【図２】
0003607165.tif 000016
【図３】
0003607165.tif 000017